(57)【要約】【課題】温室において破損したガラス板の落下を防止する。【解決手段】防護ネット１と取付用部材２とからなる。防護ネット１は、破損したガラス板の比較的大型の破片を受止める強靱なネット材からなる。取付用部材２は、防護ネット２の縁辺を支持する支持部２１と温室ＲのＨ型鋼からなる骨材Ｆのフランジに取付けられる取付部２２とが形成されている。【選択図】図１
2011229436.tif 000002
【特許請求の範囲】
【請求項１】
防護ネットと取付用部材とを備え、防護ネットは破損したガラス板の破片を受止める強靱なネット材から構成され、取付用部材は防護ネットの縁辺を支持する支持部と温室のＨ型鋼からなる骨材のフランジに係合される取付部とが形成されている温室用ガラス板落下防止具。
【請求項２】
請求項１の温室用ガラス板落下防止具において、取付用部材は取付部がＨ型鋼からなる骨材のフランジの外側面，端面，内側面に当接される係合構造からなることを特徴とする温室用ガラス板落下防止具。
【請求項３】
請求項２の温室用ガラス板落下防止具において、取付用部材は取付部が支持部に掛かる防護ネットの引張力でＨ型鋼からなる骨材のフランジに押圧されるものであることを特徴とする温室用ガラス板落下防止具。
【請求項４】
請求項１〜３のいずれかの温室用ガラス板落下防止具において、取付用部材は取付部がＨ型鋼からなる骨材のフランジの外側面に接着されるものであることを特徴とする温室用ガラス板落下防止具。
【請求項５】
請求項１〜４のいずれかの温室用ガラス板落下防止具において、取付用部材は支持部が弾性により防護ネットの縁辺の離脱を阻止するロック構造が設けられていることを特徴とする温室用ガラス板落下防止具。
【発明の詳細な説明】
【技術分野】
【０００１】
本発明は、ガラス板で透光面が構成される温室に使用されて破損したガラス板の落下防止器具に係る技術分野に属する。
【背景技術】
【０００２】
一般に、ガラス板で透光面が構成される温室では、Ｈ型鋼からなる骨材に桟材を掛渡してブラケットでガラス板を固定する構築構造が採用される。従って、地震等でガラス板が破損した場合には、ガラス板が骨材，桟材の間を通過して落下してしまうため、温室の内部で作業している人にとって極めて危険な状況をもたらすことになる。
【０００３】
なお、ガラス板の破損自体を防止する技術としては、ガラス板に樹脂フィルム（ＰＥＴ）を貼着するものがある。然しながら、樹脂フィルムが高価であるためあまり普及していないという状況がある。
【０００４】
このため、温室において破損したガラス板の落下を防止する技術の開発が要望されている。
【０００５】
従来、例えば、構造物からの落下を防止する技術としては、特許文献１，２に記載のものが知られている。
【０００６】
特許文献１，２には、落下物の落下を受止めるために防護ネットを備える技術が記載されている。特許文献１は、ブロックやコンクリートの構造物の表面に格子状落下防止材をアンカーボルトまたは鋲で固定する構造となっている。また、特許文献２は、建物の壁面に網体をはりめぐらすことを開示している（段落０００６，段落０００７，段落００１２）。
【先行技術文献】
【特許文献】
【０００７】
【特許文献１】特開２００４−２９３１５０号公報
【特許文献２】特開２００８−２０６５０２号公報
【発明の概要】
【発明が解決しようとする課題】
【０００８】
特許文献１，２に係る温室用ガラス板落下防止具では、温室において防護ネットを張設する技術の提案がなされていないため、いずれも温室用としての実現性がないという問題点がある。特許文献１は、ブロック等の構造物の表面にわたってアンカーボルトまたは鋲で格子状落下防止材を固定しなければならず、Ｈ型鋼の骨材のみを固定部位にできる温室には適用できる技術ではない。特許文献２は、建物の壁面に網体をはりめぐらす以外の固定方向が一切示されていない。
【０００９】
本発明は、このような問題点を考慮してなされたもので、温室において破損したガラス板の落下を防止することのできる温室用ガラス板落下防止具を提供することを課題とする。
【課題を解決するための手段】
【００１０】
前述の課題を解決するため、本発明では、防護ネットと取付用部材とを備え、防護ネットは破損したガラス板の破片を受止める強靱なネット材から構成され、取付用部材は防護ネットの縁辺を支持する支持部と温室のＨ型鋼からなる骨材のフランジに係合される取付部とが形成されている手段を採用する。
【００１１】
この手段では、取付用部材の取付部を温室のＨ型鋼からなる骨材のフランジに係合することで取付けされ、取付用部材の支持部に防護ネットの縁辺を支持させることで、防護ネットを温室の骨材の間に張設することができる。
【００１２】
また、本発明では、取付用部材は取付部がＨ型鋼からなる骨材のフランジの外側面，端面，内側面に当接される係合構造からなることを特徴とする手段を採用する。
【００１３】
この手段では、取付用部材が係合構造でＨ型鋼からなる骨材のフランジに当接して取付けられることで、高い取付強度が得られる。
【００１４】
また、本発明では、取付用部材は取付部が支持部に掛かる防護ネットの引張力でＨ型鋼からなる骨材のフランジに押圧されるものであることを特徴とする手段を採用する。
【００１５】
この手段では、取付用部材は取付部が防護ネットの引張力で押圧されることで、より高い取付強度が得られる。
【００１６】
また、本発明では、取付用部材は取付部がＨ型鋼からなる骨材のフランジの外側面に接着されるものであることを特徴とする手段を採用する。
【００１７】
この手段では、取付用部材がＨ型鋼からなる骨材のフランジの外側面に接着で取付けられることで、取付用部材の大きさがフランジの幅に規制されなくなる。
【００１８】
また、本発明では、取付用部材は支持部が弾性により防護ネットの縁辺の離脱を阻止するロック構造が設けられていることを特徴とする手段を採用する。
【００１９】
この手段では、防護ネットがロック構造で取付用部材に確実に支持されることで、Ｈ型鋼からなる骨材に対するネットの張設位置の選択幅が広がる。
【発明の効果】
【００２０】
本発明に係る温室用ガラス板落下防止具は、取付用部材の取付部を温室のＨ型鋼からなる骨材のフランジに係合することで取付けすることができ、取付用部材の支持部に防護ネットの縁辺を支持させることで、防護ネットを温室の骨材の間に張設することができるため、温室において破損したガラス板の落下を防止することができる効果がある。特に、防護ネットは縁辺から張設されているので、室内空間での栽培作業に何ら影響を与えるものではなく、ガラス板の比較的大型の破片を受け止めることができる。
【図面の簡単な説明】
【００２１】
【図１】本発明に係る温室用ガラス板落下防止具を実施するための形態の第１例の使用状態の斜視図である。
【図２】図１の要部の拡大斜視図である。
【図３】図１の要部の拡大断面図である。
【図４】図１の要部の拡大側面図である。
【図５】本発明に係る温室用ガラス板落下防止具を実施するための形態の第２例の要部の斜視図である。
【図６】本発明に係る温室用ガラス板落下防止具を実施するための形態の第３例の要部の斜視図である。
【図７】図６の使用状態を示す断面図である。
【図８】図６の一部の動作を示すものであり、（Ａ）に防護ネットの取付前の状態が示され、（Ｂ）に防護ネットの取付後の状態が示されている。
【発明を実施するための形態】
【００２２】
以下、本発明に係る温室用ガラス板落下防止具を実施するための形態を図面に基づいて説明する。
【００２３】
図１〜図４は、本発明に係る温室用ガラス板落下防止具を実施するための形態の第１例を示すものである。
【００２４】
第１例では、切妻式の屋根構造をもった温室Ｒに適用されるものを示してある。
【００２５】
この温室Ｒは、両フランジＦａの間にウエブＦｂが設けられたＨ型鋼からなる骨材（柱，垂木，棟木，軒桁等）Ｆに掛渡された桟材Ｐにブラケットでガラス板Ｇが固定されている。
【００２６】
第１例は、防護ネット１，取付用部材２からなる。
【００２７】
防護ネット１は、破損したガラス板Ｇの比較的大型の破片を受止める強靱なネット材からなるもので、合成樹脂材，金属材やこれ等の複合材で形成されている。この防護ネット１については、耐久性を高めるために、必要に応じて紫外線吸収材が塗布，混入される。防護ネット１のメッシュ度については、温室Ｒの大きさ（ガラス板Ｇの落下距離）や温室の使用目的（太陽光の光量）に対応して選択されるが、温室の内部で作業している人にけがをもたらすことがなくしかも重量が重くならない程度にできるだけ細かい方が好ましい。また、防護ネット１の縁辺１０については、折返構造等によって補強されているのが好ましい。
【００２８】
取付用部材２は、図２，図３に詳細に示されるように、合成樹脂材，金属材で弾性を有して一体的に形成された支持部２１，取付部２２からなり、略コ字形の支持部２１が対向配置されて基片２２ａで連結される全体形状を呈している。支持部２１は、コ字形に形成されてなるもので、防護ネット１の縁辺１０をメッシュを利用して引掛けて支持することができる把手片２１ａと基部片２１ｂから形成されている。取付部２２は、Ｈ型鋼からなる骨材ＦのフランジＦａの外側面Ｆｃ，端面Ｆｄ，内側面Ｆｅに当接されて係合される係合構造で取付けられるもので、フランジＦａの外側面Ｆｃに当接される基片２２ａの両側にフランジＦａの端面Ｆｄに当接される起立片２２ｂが設けられ、起立片２２ｂの先端にフランジＦａの内側面Ｆｅに突当てられる爪片２２ｃが設けられている。なお、取付部２２の起立片２２ｂは、支持部２１に連続されている。
【００２９】
第１例を使用するには、図１に示すように、Ｈ型鋼からなる骨材Ｆに沿って適当な間隔でガラス板Ｇ側のフランジＦａに取付用部材２の取付部２２を嵌込むようにして取付ける。この後、Ｈ型鋼からなる骨材ＦのフランジＦａに取付けられている取付用部材２の支持部２１に順次防護ネット１の縁辺を支持していく。なお、防護ネット１の張設面積が広くなった場合には、図４に示すように、防護ネット１と桟材Ｐとを部分的に支持部材３で連結するとよい。
【００３０】
第１例が取付けられた状態では、図３に示すように、取付用部材２の支持部２１に張設された防護ネット１の引張力ａが作用するため、取付用部材２の支持部２１と一体化されている取付部２２（特に、爪片２２ｃ）に反力として押圧力ｂが作用する。この結果、取付用部材２のフランジＦａへの取付強度が高くなって、取付用部材２のフランジＦａから不測の離脱が防止される。
【００３１】
第１例が取付けられた状態でガラス板Ｇが破損した場合には、ガラス板Ｇの比較的大型の破片が防護ネット１で受止められて落下することがない。従って、温室Ｒの内部で作業している人の安全性が確保される。なお、ガラス板Ｇの比較的小型の破片が防護ネット１を通過するものの、温室Ｒの内部で作業している人の安全性の確保にあまり支障はない。また、防護ネット１でガラス板Ｇの比較的大型の破片が受止められると、取付用部材２の支持部２１への防護ネット１の引張力ａが高められるが、前述のように取付用部材２のフランジＦａへの取付強度が高くなることから、取付用部材２がフランジＦａから不測に離脱するようなことはない。
【００３２】
図５は、本発明に係る温室用ガラス板落下防止具を実施するための形態の第２例を示すものである。
【００３３】
第２例は、第１例の取付用部材２を折曲げ形成している。
【００３４】
第２例によると、取付用部材２を金属材で形成する場合に、１枚の板材から折曲げ加工で簡単に製造することができる。
【００３５】
図６〜図８は、本発明に係る温室用ガラス板落下防止具を実施するための形態の第３例を示すものである。
【００３６】
第３例は、第１例の取付用部材２の取付部２２は、基片２２ａのみとされて両面シート４でＨ型鋼からなる骨材ＦのフランジＦａの外側面に接着で取付けられるようになっている。また、第１例の取付用部材２の支持部２１には、弾力性をもった弾性爪２１ｃ，２１ｄが圧接するロック構造が設けられている。ロック構造は、図８に示すように、相対的に短い弾性爪２１ｃと相対的に長い弾性爪２１ｄとで構成され、短い弾性爪２１ｃが長い弾性爪２１ｄの内側（両端側）に位置され、短い弾性爪２１ｃと長い弾性爪２１ｄとの間には間隙２１ｅが形成されている。防護ネット１の取付けで長い弾性爪２１ｄが押込まれて短い弾性爪２１ｃの内側に位置されるようになっている。
【００３７】
第３例によると、取付用部材２の取付部２２が第１例のようにフランジＦａに係合されるものではないため、取付用部材２の幅ＤがフランジＦａの幅に規制されない自由度を得ることができる。従って、骨材Ｆの大きさや防護ネット１の大きさへの対応性が確保されて汎用性が高くなる。
【００３８】
また、取付用部材２の支持部２１がロック構造を備えているため、Ｈ型鋼からなる骨材Ｆにガラス板Ｇと反対側のフランジＦａに取付用部材２を取付けても、ガラス板Ｇの破片を受けて重量が増加した防護ネット１が不測に取付用部材２の支持部２１から離脱することがない。また、ロック構造が長い弾性爪２１ｄを短い弾性爪２１ｃが抜止めする格好となっていることから、地震等によって激しく揺れた場合においても、防護ネット１の不測の取付用部材２の支持部２１からの離脱の阻止に有効に機能する（図８（Ｂ）参照）。
【００３９】
以上、図示した各例の外に、骨材Ｆが図１に示した垂木ではなく柱等の場合で、ガラス板Ｇが横方向へ落下（傾倒）する場合にも適用することができる。
【００４０】
さらに、防護ネット１のメッシュ度の異なるものを複数重ねて使用するようにすることも可能である。
【産業上の利用可能性】
【００４１】
本発明に係る温室用ガラス板落下防止具は、一般的に温室以外に使用されているガラス板を主要建築材とする各種の構築物にも適用することが可能である。
【符号の説明】
【００４２】
１          防護ネット
２          取付用部材
２１        支持部
２１ａ      把手片
２１ｂ      基部片
２１ｃ，２１ｄ  弾性爪（ロック構造）
２１ｅ      間隙
２２        取付部
２２ａ      基片（係合構造）
２２ｂ      起立片（係合構造）
２２ｃ      爪片（係合構造）
Ｆ          骨材
Ｇ          ガラス板
Ｒ          温室
【図１】
2011229436.tif 000003
【図２】
2011229436.tif 000004
【図３】
2011229436.tif 000005
【図４】
2011229436.tif 000006
【図５】
2011229436.tif 000007
【図６】
2011229436.tif 000008
【図７】
2011229436.tif 000009
【図８】
2011229436.tif 000010